(57)【要約】【課題】  洗濯機の洗濯水や浴室で使用されたお湯や風呂の残り水などは、生活排水として下水管に流下している、再利用されることはない。【解決手段】  洗濯水や浴室で使用された水などを再利用する先として、トイレの流し水に使用を可能にするために、専用排水管より洗濯水などを、浄化装置で受けて、多段フィルターを通して、雨水タンクに送水する、そして雨水タンクより多段フィルターを通し自動ポンプでトイレのロータンクに給水することで、家庭内から出る生活排水の一部をトイレの流し水に再活用することで解決した。【選択図】図８
2012143518.tif 000002
【特許請求の範囲】
【請求項１】
トイレの洗浄水は、水道水をロータンクに給水をして、便器に水道水を流している、飲料水を使用することは考える点がある、
水道水節約のために、代替用水として雨水を使用する方法はすでに多くの建物で使用されている。
一戸建住宅でも、雨水と風呂の残り水を、トイレの洗浄水として使用されている。
全自動洗濯機の洗濯水を雨水タンクに回収して、送水ポンプを経由して、トイレのロータンクに給水するために、全自動洗濯機の排水管は専用配管して、専用配管の先端部は下水管に接続される所の中間に洗濯水自動回収容器設けて、洗濯水自動回収容器を経由して、下水管に接続される。
洗濯水自動回収容器の内部は、洗濯機排水の洗濯水専用配管接続口の容器受け口となる容器入口側と、洗濯水自動回収容器のオーバーフロー水を出す、容器出口側となる下水管に接続されていく。
洗濯水自動回収容器で洗濯水を回収するには、水中ポンプはネット付きフィルター容器の中に設置され、水中ポンプの出口側は洗濯水給水ホースで、雨水タンクに接続され水中ポンプで洗濯水が給水するが、洗濯水自動回収容器内部の水位を確認するフロー水位スイッチが水面の高低差を、スイッチが水面高い時は接となり、水面が低い時はスイッチが断となります、水中ポンプはフロー水位スイッチが接で運転、フロー水位スイッチ断で水中ポンプを停止となるが、フロートスィツチ回路は雨水タンク内部の雨水タンクスイッチ接ときだけである、雨水タンク水位が満水状態では雨水タンクスイッチは断となり、洗濯水自動回収容器内部のフロース水位イッチが接でも、水中ポンプは停止となり、全自動洗濯機の洗濯水は、洗濯水自動回収容器のオーバーフロー水として、下水管に自然流下していくことを特徴とする洗濯機の洗濯水自動回収容器。
【請求項２】
洗濯水自動回収容器に入る洗濯水は多くの汚れた物質があり、トイレのロータンク内部にあります、ボールバレブ弁の動作を止める障害を発生することがある。
ボールバルブ弁の入口側にあるフィルター目詰まり発生させないためには。洗濯水自動回収容器の内部に設置される、ネット付きフィルター容器内部は、水中ポンプが設置され、ネット自身は目の細かい繊維で出来ている物で、フィルター容器は骨組みされた内部空間要する形状となり、ネットでフィルター容器全体を密封され、ネット自身はフィルター容器より自由に取替え可能にしたことを特徴とするネット付きフィルター容器。
【発明の詳細な説明】
【技術分野】
【０００１】  本発明は、水洗トイレの洗浄水として使用する水を洗濯水として、全自動洗濯機の洗濯水を回収する、洗濯水自動回収容器に関する物である。
【背景技術】
【０００２】  従来の全自動洗濯機の洗濯水は排水され、下水管に流下して、再利用されることが無く、下水処理水となる。
【発明の概要】
【発明が解決しようとする課題】
【０００３】  前記の洗濯機の洗濯水は排水され、下水管に流下して下水道処理所で処理され排水となる。
本発明は、洗濯水を再び生活用水として、トイレの洗浄水に活用することを提案する。
【課題を解決するための手断】
【０００４】  本発明は上記目的を達成するために、全自動洗濯機の洗濯水を専用配管と下水管に接続する地点に洗濯水自動回収容器を設置して、洗濯水自動回収容器の中に設置した、水中ポンプで、雨水タンクに洗濯水を送り、雨水タンクの中で雨水と洗濯水が混ざり、中水として送水ポンプで、加圧され洗濯水はトイレのロータンクに給水して、生活用水として、便器の洗浄水として活用することで、水道水の代替水となる。
【発明の効果】
【０００５】上述したように、洗濯機排水の洗濯水を再利用することで、水道水の節約となり、水資源を守ることが可能となる。
【発明を実施するための形態】
【０００６】以下、本発明の実施するための形態を図１から図５に基づいて説明する。
図１、洗濯水自動回収容器平面図を示す。
洗濯水自動回収容器１は全自動洗濯機９の排水となった洗濯水を、排水専用管１０で受けて容器入口側２より洗濯水自動回収容器１の中に洗濯水を流下させる。
【０００７】図２、洗濯水自動回収容器側面図を示す。
排水となった洗濯水を容器入口側２より洗濯水自動回収容器１に流下した、洗濯水は洗濯水自動回収容器１が満水状態となるとオーバーフロー水を容器出口側３より出す、容器出口側３の先は下水管１１に接続される。
【０００８】図３は、洗濯水自動回収容器断面図を示す。
洗濯水自動回収容器１に流下した洗濯水は、フロートを浮かして図５のフロートスイッチ容器側７のスイッチ接点が黒丸側に接点が移動して、接となり水中ポンプ６が動作可能となりますが、雨水タンク１２が満水状態でない時だけ、水中ポンプ６は動作します、流下した洗濯水はネット５の繊維の細かい目の中を通過して、フィルター容器４の中に洗濯水は入り、水中ポンプ６が動作していれば、洗濯水は水中ポンプ６から、洗濯水給水ホース８より雨水タンク１２の中に洗濯水は入ります。
【０００９】洗濯水自動回収容器１の水中ポンプ６が停止状態時は、流下して来た洗濯水はオーバーフロー水となって、容器出口側３より洗濯水が出ていく、
水中ポンプ６が停止状態になる時は、雨水タンク１２が満水の時で、図５の雨水タンクスィツチ１３のスィツチ接点が黒丸側移動したことにより、図５のフロートスィツチ回路が断となり、水中ポンプ６は停止状態となります、
雨水タンク１２は洗濯水受け入れを止めることが可能になります。
【００１０】図４は、洗濯機からトイレのロータンクまで設置構成図。
全自動洗濯機９より排水された洗濯水は、排水専用管１０を流下して洗濯水自動回収容器１に入ります、水中ポンプ６の動作により、洗濯水は洗濯水給水ホース８より雨水タンク１２に給水され、トイレ室内のロータンク２０が空になりますと、自動送水ポンプ１６が動作して、洗濯水は送水ポンプフィルター１７を通過して、雨水管１９を通りロータンク２０の中に給水されます、ロータンク２０の入口に切り替え装置２２は雨水管１９と水道管１８のどちらかを選択できます〔特許第３４６３２７３号同じ〕、水道水が必要ときは手働で動かすことが可能です、洗濯水が必要なときも同じように切り替えが可能になります、
ロータンク２０が満水になりますと、自動送水ポンプ１６が停止します。
【００１１】雨水タンク１２が満水状態になる時は、雨どい１４より雨水が雨水給水ホース１５より、雨水が雨水タンク１２に給水され、満水が可能になり、このとき図５の雨水タンクスィツチ１３のスィツチ接点が黒丸側に移動して、図５の水中ポンプ６の回路が断となり雨水タンク１２の中に洗濯水は入ってこない。
【００１２】図５は、フロートスィツチ回路図を示す。
水中ポンプ６の配線片側は、ＡＣプラグ２３に結線され、もう一方片側はフロートスィツチ容器側７に結線されます、水中ポンプ６が動作する条件はフロートスィツチ容器側７のフロート浮いている時スィツチ接点は黒丸側移動して、雨水タンク１２側が満水状態でない時で、フロートは下がってフロートの重さで雨水タンクスィツチ１３はスィツチ接点が白丸側に移動する、この２点の条件でＡＣプラグ２３に電気が入れば水中ポンプ６は動作する。
【００１３】水中ポンプ６が停止条件は、洗濯水自動回収容器１に洗濯水が無いときで、フロートは下がったままで、フロートの重さで、フロートスィツチ容器側７のスィツチ接点は白丸側に移動している、雨水タンク１２が満水状態で雨水タンクスィツチ１３のスィツチ接点が黒丸側に移動していれば、洗濯水自動回収容器１の洗濯水があっても、なくても水中ポンプ６は停止となる。
【図面の簡単な説明】
【００１４】
【図１】洗濯水自動回収容器平面図。
【図２】洗濯水自動回収容器側面図。
【図３】洗濯水自動回収容器断面図。
【図４】洗濯機からトイレのロータンクまで設置構成図。
【図５】フロートスィツチ回路図。
【符号の説明】
【００１５】１、洗濯水自動回収容器
２、容器入口側
３、容器出口側
４、フィルター容器
５、ネット
６、水中ポンプ
７、フロートスィツチ容器側
８、洗濯水給水ホース
９、全自動洗濯機
１０  排水専用管
１１  下水管
１２  雨水タンク
１３  雨水タンクスィツチ
１４  雨どい
１５  雨水給水ホース
１６  自動送水ポンプ
１７  送水ポンプフィルター
１８  水道管
１９  雨水管
２０  ロータンク
２１  便器
２２  切り替え装置
２３  ＡＣプラグ
【図１】
2012143518.tif 000003
【図２】
2012143518.tif 000004
【図３】
2012143518.tif 000005
【図４】
2012143518.tif 000006
【図５】
2012143518.tif 000007
【手続補正書】
【提出日】平成23年9月28日(2011.9.28)
【手続補正１】
【補正対象書類名】特許請求の範囲
【補正対象項目名】全文
【補正方法】変更
【補正の内容】
【特許請求の範囲】
【請求項１】
トイレの流し水に、雨水と生活排水の一部を再活用可能とする、浄化装置付雨水タンクであつて。浄化装置入口側に排水管を接続して、排水管の反対側は洗濯機の排水ホース受口と、浴室の排水口と接続し、洗濯水と浴室で使用された水は浄化装置に流入を可能にする。
浄化装置内部に底部排水管設け、底部排水管は下水管に接続し、浄化装置水位が満水状態になると浄化装置底部の水から下水管に流入する。
浄化装置内部は、フィルター容器を２セット内蔵し、大型フィルター容器にフィルター布をカバーして、大型フィルター容器の内側にも小型フィルター容器をフィルター布でカバーして、小型フィルター容器の中に水中ポンプを設置して、水中ポンプ出力側に中水送水管接続し、中水送水管出口側から中水を雨水タンク上部に設置したスポンジフィルターで受けて、スポンジフィルターの下側にメッシュフィルターを設けて、メッシュフィルターより中水を雨水タンクに流下する。屋根に降った雨水は、雨どいから取水継手を通して、雨水タンクに流入する。大雨が降っていれば雨水タンクは満水状態となり、雨水タンクの底部排水管より、浄化装置に流下して、浄化装置も満水状態になれば、浄化装置底部排水管より下水管に流下していく。
雨水タンク外側面に出ている底部排水管上部ネジ穴に、ボルトが無い時は、管の空気穴として役割で、雨水タンクが満水状態においては、雨水タンク内部の水は、底部排水管下部口より排水され、浄化装置に流下していく。排水量は雨水タンク満水状態においては入った水量と出た水量は同じ水量となる。
雨水タンク外側面に出ている底部排水管上部ネジ穴にボルトを入れて、ネジ穴を密封することにより。雨水タンクが満水状態になると、サイホン作用効果により、雨水タンク内部の水位は、底部排水管下部口の水位までさがる。短い時間で雨水タンクの水は浄化装置に流下する。
雨水タンク内部の底部排水管中間にネジ穴を設けておきますと。ここのネジ穴にボルトを入れておくことで、サイホン作用効果で雨水タンク底部まで水位が下がりますが、雨水タンク内部の底部排水管中間ネジ穴からボルトを取りますと、底部排水管の空気穴となり、サイホン作用効果は底部排水管中間ネジ穴の位置でサイホン作用効果は止まります。
雨水タンクに流入した中水は、トイレのロータンク内部水位が下がり、ロータンク内部ボールバルブ管開き、中水給水管の水圧が下がり自動ポンプが作動して、雨水タンクの中水をロータンクに給水が可能となる。
ロータンク内部水位が上がりボールバルブ管が閉じて、中水給水管水圧が上がり、自動ポンプは停止する。
ロータンクのボールバルブ管が開いて中水給水管の水圧が低下して、自動ポンプが作動しない時は、雨水タンクの水位が低下して、浮き玉５Ａが下がり２連スイッチ８のＡ側スイッチが断で、自動ポンプは空運転防止となる。
雨水タンク水面より５センチ程度下側より、中水取入口を設けるために、浮き玉の下側にジャバラ管設けて、ここから雨水タンク外側のフィルターに接続させる。
浄化装置に洗濯水や浴室使用水が流入して水位が上がり、浮き玉１１が上がり水中ポンプスイッチ１８が接となり、水中ポンプが作動して、浄化装置内部の中水が、大型フィルター通し小型フィルターを通り、水中ポンプより中水は、中水送水管で雨水タンク上部に設置した、スポンジフィルターに中水を送り、スポンジフィルターよりメシュフイルターを通り、雨水タンクに中水は送水される。雨水タンク側の水位が満水状態になると、浮き玉６Ｂが上がり２連スイッチ８のＢ側スイッチが断となり、浄化装置内部の水中ポンプは停止となり、雨水タンクに浄化装置より中水は送水停止する。
雨水タンク水位が下がり浮き玉６Ｂが下がり２連スイッチ８のＢ側スイッチが接となり再び水中ポンプは作動して中水は雨水タンクに送水が始まる、浄化装置水位が一定以下に下がると、浮き玉１１は下がり水中ポンプスイッチ１８が断となり水中ポンプは停止し、雨水タンクに送水が止まることを特徴とする浄化装置付雨水タンク。
【請求項２】
浄化装置内部は、大型フィルター容器の中に小型フィルター容器を設置して、小型フィルター容器内部に、水中ポンプ設けて、浄化装置に流入する汚れ水は大型フィルター容器を通り、次に小型フィルター容器を通り水中ポンプより、雨水タンクに送水することを特徴とする浄化装置付雨水タンク。
【請求項３】
雨水タンク外側面に出ている底部排水管上部ネジ穴に、ボルトが無い時は、管の空気穴として役割で、雨水タンクが満水状態においては、雨水タンク内部の水は、底部排水管下部口より排水され浄化装置に流下していく。排水量は雨水タンク満水状態においては、入った水量と出た水量は同じ水量となる。
雨水タンク外側面に出ている底部排水管上部ネジ穴にボルトを入れて、ネジ穴を密封することにより。雨水タンクが満水状態になると、サイホン作用効果により、雨水タンク内部の水位は、底部排水管下部口の水位まで下がる。短い時間で雨水タンクの水は浄化装置に流下する。雨水タンク内部の底部排水管中間にネジ穴を設けておきますと。ここのネジ穴にボルトを入れておくことで雨水タンク底部まで水位が下がりますが、雨水タンク内部の底部排水管中間ネジ穴からボルトを取りますと、底部排水管の空気穴となり、サイホン作用効果は底部排水管中間ネジ穴の位置でサイホン作用効果は止まり、雨水タンク水位は底部排水管中間ネジ穴の位置で水位が止まることを特徴とする浄化装置付雨水タンク。
【手続補正２】
【補正対象書類名】明細書
【補正対象項目名】全文
【補正方法】変更
【補正の内容】
【発明の詳細な説明】
【技術分野】
【０００１】  本発明は水洗トイレの流し水に使用する水を、雨水と生活排水の一部を再活用可能とする、浄化装置付雨水タンク。
【背景技術】
【０００２】  水洗トイレの流し水を、上水の飲める水を使用している、もつたいない代替用水として、トイレの流し水は中水でも可能である。家庭内からの生活排水は、再利用されないで、下水管に流下している。
【発明の概要】
【発明が解決しようとする課題】
【０００３】  前記の生活排水の一部を再活用して、再度生活用水としてトイレの流し水に使用することで、水源を家庭内から出るので安定した水源となる、雨水だけでは雨が降らない日もあり、また雨水タンクも大型のタンクが必要であつた。
本発明は生活排水の一部を再活用してトイレの流し水に使用することを提案する。
【課題を解決するため手段】
【０００４】  本発明は上記目的を達成するために、浄化装置入口側に排水管を接続して、排水管の反対側は洗濯機の排水ホース受口と、浴室の排水口と接続し、洗濯水と浴室で使用された水は浄化装置に流入を可能にする。
浄化装置内部に底部排水管設け、底部排水管は下水管に接続し、浄化装置水位が満水状態になると浄化装置底部の水から下水管に流入する。
浄化装置内部は、フィルター容器を２セット内蔵し、大型フィルター容器にフィルター布をカバーして、大型フィルター容器の内側にも小型フィルター容器をフィルター布でカバーして、小型フィルター容器の中に水中ポンプを設置して、水中ポンプ出力側に中水送水管接続し、中水送水管出口側から中水を雨水タンク上部に設置したスポンジフィルターで受けて、スポンジフィルターの下側にメッシュフィルターを設けて、メッシュフィルターより中水を雨水タンクに流下する。屋根に降った雨水は、雨どいから取水継手を通して、雨水タンクに流入する。大雨が降っていれば雨水タンクは満水状態となり、雨水タンクの底部排水管より、浄化装置に流下して、浄化装置も満水状態になれば、浄化装置底部排水管より下水管に流下していく。
雨水タンク外側面に出ている底部排水管上部ネジ穴に、ボルトが無い時は、管の空気穴として役割で、雨水タンクが満水状態においては、雨水タンク内部の水は、底部排水管下部口より排水され、浄化装置に流下していく。排水量は雨水タンク満水状態においては入った水量と出た水量は同じ水量となる。
雨水タンク外側面に出ている底部排水管上部ネジ穴にボルトを入れて、ネジ穴を密封することにより。雨水タンクが満水状態になると、サイホン作用効果により、雨水タンク内部の水位は、底部排水管下部口の水位までさがる。短い時間で雨水タンクの水は浄化装置に流下する。
雨水タンク内部の底部排水管中間にネジ穴を設けておきますと。ここのネジ穴にボルトを入れておくことで、サイホン作用効果で雨水タンク底部まで水位が下がりますが、雨水タンク内部の底部排水管中間ネジ穴からボルトを取りますと、底部排水管の空気穴となり、サイホン作用効果は底部排水管中間ネジ穴の位置でサイホン作用効果は止まります。
雨水タンクに流入した中水は、トイレのロータンク内部水位が下がり、ロータンク内部ボールバルブ管開き、中水給水管の水圧が下がり自動ポンプが作動して、雨水タンクの中水をロータンクに給水が可能となる。
ロータンク内部水位が上がりボールバルブ管が閉じて、中水給水管水圧が上がり、自動ポンプは停止する。
ロータンクのボールバルブ管が開いて中水給水管の水圧が低下して、自動ポンプが作動しない時は、雨水タンクの水位が低下して、浮き玉５Ａが下がり２連スイッチ８のＡ側スイッチが断で、自動ポンプは空運転防止となる。
雨水タンク水面より５センチ程度下側より、中水取入口を設けるために、浮き玉の下側にジャバラ管設けて、ここから雨水タンク外側のフィルターに接続させる。
浄化装置に洗濯水や浴室使用水が流入して水位が上がり、浮き玉１１が上がり水中ポンプスイッチ１８が接となり、水中ポンプが作動して、浄化装置内部の中水が、大型フィルター通し小型フィルターを通り、水中ポンプより中水は、中水送水管で雨水タンク上部に設置した、スポンジフィルターに中水を送り、スポンジフィルターよりメシュフイルターを通り、雨水タンクに中水は送水される。雨水タンク側の水位が満水状態になると、浮き玉６Ｂが上がり２連スイッチ８のＢ側スイッチが断となり、浄化装置内部の水中ポンプは停止となり、雨水タンクに浄化装置より中水は送水停止する。
雨水タンク水位が下がり浮き玉６Ｂが下がり２連スイッチ８のＢ側スイッチが接となり再び水中ポンプは作動して中水は雨水タンクに送水が始まる、浄化装置水位が一定以下に下がると、浮き玉１１は下がり水中ポンプスイッチ１８が断となり水中ポンプは停止し、雨水タンクに送水が止まることを特徴とする浄化装置付雨水タンク。
【０００５】  本発明は上記目的を達成するために、浄化装置内部は、大型フィルター容器の中に小型フィルター容器を設置して、小型フィルター容器内部に、水中ポンプ設けて、浄化装置に流入する汚れ水は大型フィルター容器を通り、次に小型フィルター容器を通り水中ポンプより、雨水タンクに送水することを特徴とする浄化装置付雨水タンク。
【０００６】  本発明は上記目的を達成するために、雨水タンク外側面に出ている底部排水管上部ネジ穴に、ボルトが無い時は、管の空気穴として役割で、雨水タンクが満水状態においては、雨水タンク内部の水は、底部排水管下部口より排水され浄化装置に流下していく。排水量は雨水タンク満水状態においては、入った水量と出た水量は同じ水量となる。
雨水タンク外側面に出ている底部排水管上部ネジ穴にボルトを入れて、ネジ穴を密封することにより。雨水タンクが満水状態になると、サイホン作用効果により、雨水タンク内部の水位は、底部排水管下部口の水位まで下がる。短い時間で雨水タンクの水は浄化装置に流下する。雨水タンク内部の底部排水管中間にネジ穴を設けておきますと。ここのネジ穴にボルトを入れておくことで雨水タンク底部まで水位が下がりますが、雨水タンク内部の底部排水管中間ネジ穴からボルトを取りますと、底部排水管の空気穴となり、サイホン作用効果は底部排水管中間ネジ穴の位置でサイホン作用効果は止まり、雨水タンク水位は底部排水管中間ネジ穴の位置で水位が止まることを特徴とする浄化装置付雨水タンク。
【発明の効果】
【０００７】  上述したように、生活排水の一部を再活用することで、水道代の節約と、水資源を守ることと、下水処理水量を少なくすることが可能となる。
【発明を実施するための形態】
【０００８】  以下、本発明の実施するための形態を図１から図８に基づいて説明する。
図１、浄化装置平面図を示す。
浄化装置１は、排水管３９は排水の入口と、浄化装置底部排水管１９は排水の出口となる、浄化装置１内部には、大型フィルター容器１５とその中に小型フィルター容器１４が入り、小型フィルター容器１４の中に水中ポンプ１３が設置され、水中ポンプ１３の出口側には中水送水管４２が接続され、浄化装置１の内部水位を確認するために水中ポンプスイッチ１８の下側に浮き玉１１が接続されている。大型フィルター容器１５と小型フィルター容器１４に、フィルター布４５が全体にカバーされている。
【０００９】  図２、浄化装置側面図を示す。
洗濯機３４と、浴室４６から出る排水を排水管３９で受けて、浄化装置１の内部が満水状態となりますと、浄化装置底部排水管１９から排水され、下水管２０に流下する。
【００１０】  図３、浄化装置断面図を示す。
浄化装置１に生活排水が流下してきますと、浮き玉１１が水面と同じように変化して、一定の高さで水中ポンプスィツチ１８が接となり、水中ポンプ１３が作動して、浄化装置１内部の排水は、大型フィルター容器１５の、外側面にカバーされています、フィルター布４５を通り、大型フィルター容器１５の内部に排水が流入します、次に小型フィルター容器１４の外側面にカバーされているフィルター布４５を通り、水中ポンプ１３により、中水送水管４２で雨水タンク蓋９の上に設置されています、スポンジフィルター１０を通り、その下側にあるメッシュフィルター７より、雨水タンク２の中に生活排水は流下する。
【００１１】  図４は、スイッチ接点動作図を示す。
浮き玉が水面に浮いている状態ではスイッチ接点５１は黒丸５２側に移動する、浮き玉が水面より離れますと、浮き玉自身の重さにより接点５１は白丸５３側に移動する。
浮き玉とスイッチ接点の関係を説明する。
【００１２】  図５は、自動ポンプ回路図を示す。
雨水タンク２の内部浮き玉５Ａ５が、水面に浮いている状態では、２連スイッチ８のＡ側スイッチ４８の接点は接続状態となり、ＡＣ１００Ｖプラグ４７が受電状態であれば自動ポンプ２２は動作可能となる。
浮き玉５Ａ５が水面より離れますと、浮き玉自身の重さで２連スイッチ８のＡ側スイッチ４８は断となり、ＡＣ１００Ｖ４７が受電状態であっても、自動ポンプ２２に電源が断となり、雨水タンク２の水位が一定以下に下がると自動ポンプ２２は空運転防止となる。
【００１３】  図６は、水中ポンプ回路図を示す。
浄化装置１の内部浮き玉１１が水面に浮いている状態では、水中ポンプスイッチ１８接点は黒丸側移動し接となり、雨水タンク２の内部浮き玉６Ｂ６は水面より離れている状態では、２連スイッチ８のＢ側スイッチ５０接点は白丸側に移動して接となり、ＡＣプラグ４９に通電状態であれば水中ポンプ１３は作動する。
【００１４】  雨水タンク２の内部浮き玉６Ｂ６水面より離れている状態では２連スイッチ８のＢ側スイッチ５０接点が白丸側に移動している状態でも、浄化装置１の内部浮き玉１１が水面より離れている時は、水中ポンプスイッチ１８の接点は白丸側に移動して、水中ポンプ１３は停止状態となる。
【００１５】  浄化装置１の内部浮き玉１１が水面に浮いている状態でも、雨水タンク２の内部浮き玉６Ｂが水面に浮いている状態では、２連スイッチ８のＢ側スイッチ５０の接点は、黒丸側に移動して、水中ポンプ１３は停止状態となる。
【００１６】  図７は、ロータンクに中水と上水の給水管図を示す。
水洗トイレのロータンク２９に中水と上水を２系統により給水方式により、中水給水システムが停電か故障した時は、中水から上水をワンタッチ切替できる装置をロータンク２９の入口側に設置する。（特許番号３４６３２７３号）同じ方式。
【００１７】  図８は、生活排水浄化装置と中水の給水装置実施断面図を示す。
一戸建住宅において、洗濯機３４を可動することにより、洗濯水が排水管３９を通り、浄化装置１の内部に洗濯水が流入する、また浴室においても浴室で使用された、お湯や風呂の残り水が排水管３９を通り浄化装置に流入する。
【００１８】  排水管３９より浄化装置１に流入した、洗濯水や浴室で使用された、お湯などは、浄化装置１の内部に設置した大型フィルター１５通り、小型フィルター１４を通り、水中ポンプ１３より、中水送水管４２により雨水タンク蓋９の上に設置された、スポンジフィルター１０通り、その下側メッシュフィルター７を通り、雨水タンク２の中に洗濯水など中水を送水する。
【００１９】  雨水タンク２に流入した洗濯水などは、水洗トイレのロータンク２９内部の、ロータンクボールバルブ４０が開放されますと、中水給水管２７の水圧が下がり、自動ポンプ２２が作動して、雨水タンク２の中水をロータンク２９に給水が可能となる。
自動ポンプ２２が作動すると、雨水タンク２内部の中水は、浮き玉４の下側にあります、ジャバラ管付き排水管３を通り、雨水タンク２の下側に設置されています、ポンプ入力フィルター２１を通り、自動ポンプ２２通り、ポンプ出力フィルター２３通り、中水給水管２７を通り、ロータンク２９の入力側に設置した、中水と上水切替装置２８を通り、ロータンク２９の中に中水は給水される。
ロータンク２９が満水状態となれば、ロータンク用ボールバルブは閉じて、中水給水管２７の内部水圧が上がり、自動ポンプ２２は停止する。
【００２０】  雨水タンク２に屋根に降った雨水は、雨どい２６の取水継手２５より雨水給水ホース２４より、雨水は雨水タンク２に流入する。
雨水タンク２が満水状態になると、雨水タンク底部排水管１７より浄化装置１に雨水は流入する。
【００２１】  雨水タンク２が雨水や、洗濯水と浴室で使用した水で雨水タンク２が満水状態となりますと、雨水タンク２の内部浮き玉６Ｂが作動して、浄化装置１内部の水中ポンプ１３が停止状態となるため、この時に洗濯水や浴室で使用した水や雨水タンク２の雨水など浄化装置１に流入しても中水ポンプ１３が停止ため、浄化装置底部排水管１９より洗濯水や浴室で使用した水や雨水などは下水管２０に流下する。
【図面の簡単な説明】
【００２２】
【図１】  浄化装置平面図
【図２】  浄化装置側面図
【図３】  浄化装置断面図
【図４】  スィツチ接点動作図
【図５】  自動ポンプ回路図
【図６】  水中ポンプ回路図
【図７】  中水、上水、切替装置図
【図８】  生活排水浄化装置と中水給水装置実施断面図
【符号の説明】
【００２３】１、浄化装置
２、雨水タンク
３、ジャバラ管付き排水管
４、浮き玉
５、浮き玉５Ａ
６、浮き玉６Ｂ
７、メッシュフィルター
８、２連スィツチ
９、雨水タンク蓋
１０、スポンジフィルター
１１、浮き玉
１２、フィルター台座
１３、水中ポンプ
１４、小型フィルター容器
１５、大型フィルター容器
１６、浄化装置蓋
１７、雨水タンク底部排水管
１８、水中ポンプスィツチ
１９、浄化装置底部排水管
２０、下水管
２１、ポンプ入力フィルター
２２、自動ポンプ
２３、ポンプ出力フィルター
２４、雨水給水ホース
２５、取水継手
２６、雨どい
２７、中水給水管
２８、中水、上水、切替装置
２９、ロータンク
３０、便座
３１、便器
３２、上水管
３３、洗濯機排水ホース受け口
３４、洗濯機
３５、鏡
３６、蛇口
３７、洗面台
３８、浴槽
３９、排水管
４０、ロータンク用ボーバルブ
４１、浴室排水口
４２、中水送水管
４３、底部排水管上部ネジ穴
４４、底部排水管中間ネジ穴
４５、フィルター布
４６、浴室
４７、ＡＣ１００Ｖプラグ
４８、Ａ側スィツチ
４９、ＡＣ１００Ｖプラグ
５０、Ｂ側スィツチ
５１、接点
５２、黒丸
５３、白丸
【手続補正３】
【補正対象書類名】図面
【補正対象項目名】全図
【補正方法】変更
【補正の内容】
【図１】
2012143518.tif 000008
【図２】
2012143518.tif 000009
【図３】
2012143518.tif 000010
【図４】
2012143518.tif 000011
【図５】
2012143518.tif 000012
【図６】
2012143518.tif 000013
【図７】
2012143518.tif 000014
【図８】
2012143518.tif 000015